(57)【要約】【課題】リモコン電池の交換に関する日付を測量機から出力させること。【解決手段】電池２０を交換したときに、キーボード１０を用いて、電池２０を交換した日付を入力するための操作を行なうと、電池２０を交換した日付に関する日付情報がマイクロコンピュータ１２に出力され、マイクロコンピュータ１２において、日付情報がディジタルデータに変換されたあとメモリ１８に記憶されるとともに、メモリ１８に記憶されたディジタルデータは、電池２０が交換された日付に関する情報として変調されたアナログ信号に変換され、このアナログ信号は、発光ダイオードドライバ１４、発光ダイオード１６を介して測量機に送信され、測量機の画面上に、電池２０を交換した日付が表示される。【選択図】　　　　図１
2004132916.tif 000002
【特許請求の範囲】
【請求項１】
電池を電源として、情報を表示する機能および／または前記情報を音声で出力する機能を有する測量機と前記情報の送信を行うとともに、前記測量機を遠隔操作する測量機用リモートコントローラにおいて、操作に応答して日付に関する日付情報を発生する日付情報発生手段と、前記日付情報発生手段で発生した日付情報を記憶する日付情報記憶手段と、前記日付情報記憶手段に記憶された日付情報を前記電池が交換された日付に関する情報として前記測量機に送信する送信手段とを備えてなることを特徴とする測量機用リモートコントローラ。
【請求項２】
請求項１に記載の測量機用リモートコントローラにおいて、前記送信手段は、前記日付情報記憶手段に記憶された日付情報を前記電池を交換すべき日付に関する情報に変換して、前記電池が交換された日付に関する情報および／または電池を交換すべき日付に関する情報として前記測量機に送信することを特徴とする測量機用リモートコントローラ。
【請求項３】
請求項１または２に記載の測量機用リモートコントローラにおいて、前記日付情報発生手段は、一回の操作に応答してカレンダーの日付に対応したカレンダークロックを日付情報として発生するカレンダークロック発生器から構成されてなることを特徴とする測量機用リモートコントローラ。
【請求項４】
請求項１、２または３のうちいずれか１項に記載の測量機用リモートコントローラにおいて、前記日付情報は、年月日の情報を含んで構成されてなることを特徴とする測量機用リモートコントローラ。
【発明の詳細な説明】
【０００１】
【発明の属する技術分野】
本発明は、測量機用リモートコントローラに係り、特に、電池を電源として、測量機と情報の片道送信を行うとともに、測量機を遠隔操作するに好適な測量機用リモートコントローラに関する。
【０００２】
【従来の技術】
従来、測量機用リモートコントローラを用いて測量機を遠隔操作するに際して、リモートコントローラに設けてあるキーボードで操作情報を入力し、有線方式または無線方式で測量機に送信するように構成されている。そして、無線方式のリモートコントローラでは電池を電源として構成され、リモートコントローラに電源ＯＮ・ＯＦＦ用のスイッチは特に設けられていない。
【０００３】
このため、電池を電源とする場合には、電池が容量不足になったり、電池が寿命になったりして、リモートコントローラが動作不良のため測量機を遠隔操作できなくなる場合が生じる。しかるに、従来の測量機用リモートコントローラにおいては、電池残量を知らせる方式は何ら採用されていない。
【０００４】
ただし、テレビ受像機を対象とするリモートコントローラにおいては、電池残量を管理するようにしたものが提案されている。例えば、特許文献１に記載されているように、リモコン送信機側の電圧監視部で電池電圧を監視し、電池電圧が所定値以下になったときに、送信データの送出間隔を通常時とは異ならしめ、この変化をテレビ受像機側に送信し、電池電圧が所定値以下になったことをテレビ画面上に表示するようにしたものがある。
【０００５】
【特許文献１】
特開平５−７６０６７号公報
また、特許文献２に記載されているように、ビデオデッキがリモコン送信機から受光する赤外光の出力レベルに基づいてリモコン送信機側の電池の残量を検出し、電池の残量が所定値以下になったときにテレビ受像機に電池切れアラームを表示するようにしたものがある。
【０００６】
【特許文献２】
特開平１１−４１６７０号公報
【０００７】
【発明が解決しようとする課題】
上記特許文献１，２で示す従来技術においては、電池残量を管理するようにしているが、いずれの方式も「電池切れ」か否かの基準値を設定しなければならず、基準値の設定が面倒である。すなわち、基準値を高く設定すると、容量があるのに電池を交換することになり、不経済である。逆に、基準値を低く設定すると、電池切れアラームから短い時間で使用できなくなるため、常に交換用電池を用意することを余儀なくされる。
【０００８】
また、いずれの方式においても、「電池切れ」か否かが分かるだけで、電池の寿命があとどのくらいあるのかという判断や予測はできない。
【０００９】
さらに、テレビ受像機等の家電製品を対象とするリモートコントローラにおいては、たとえ、リモートコントローラの電池が切れたとしても、販売店が開いている限り、電池を購入すれば支障を来たすことはない。しかし、測量機のように、山奥等、人里離れた場所で使用されることが多いものを対象とするリモートコントローラでは、「電池切れ」が生じても即座に対処することができず、常に、電池を携行することが余儀なくされる。
【００１０】
本発明は、前記従来の課題に鑑みて為されてものであり、その目的は、リモートコントローラに記憶させた電池の交換に関する日付を測量機側においていつ頃電池交換が必要かという情報として表示及び／または音声出力させることで、電池切れによる諸問題を解決できる測量機用リモートコントローラを提供することにある。
【００１１】
【課題を解決するための手段】
前記目的を達成するために、請求項１に係る測量機用リモートコントローラにおいては、電池を電源として、情報を表示する機能および／または前記情報を音声で出力する機能を有する測量機と前記情報の送信を行うとともに、前記測量機を遠隔操作する測量機用リモートコントローラにおいて、操作に応答して日付に関する日付情報を発生する日付情報発生手段と、前記日付情報発生手段で発生した日付情報を記憶する日付情報記憶手段と、前記日付情報記憶手段に記憶された日付情報を前記電池が交換された日付に関する情報として前記測量機に送信する送信手段とを備えて構成した。
【００１２】
（作用）リモートコントローラの電池を新品と交換したときに、作業者が、日付情報発生手段（例えば、キーボード）により、電池を交換した日付を入力するための操作を行なうと、日付情報発生手段で発生した日付に関する日付情報が日付情報記憶手段に記憶されるとともに、測量機に送信されて、測量機（の表示部）には入力した日付情報が文字や数字で表示および／または音声で出力されるので、作業者はこの表示を見たり、および／または音声出力を聞いて、入力が適正か否かを確認でき、入力を誤った場合は、入力操作し直すことができる。電池を交換した日付を入力するに際しては、電池交換時のみ日付入力モードとして、日付の入力を許可し、それ以外のときには日付入力モードをクリアにして、日付の入力を阻止する構成とすることもできる。
【００１３】
そして、作業者は、必要に応じて、リモートコントローラの日付情報記憶手段に記憶されている情報（電池が交換された日付）を測量機に送信することで、電池が交換された日付が測量機（の表示部）に表示および／または音声で出力されるため、測量機に表示および／または音声で出力された情報（電池が交換された日付）を確認することで、電池の寿命はいつ頃になるかを推定できる。そして電池切れの恐れのあるときには、新たな電池を携行することで、電池を最後まで無駄なく使用することができるとともに、新たな電池に交換して、測量機の遠隔操作を継続することができる。
【００１４】
請求項２に係る測量機用リモートコントローラにおいては、請求項１において、前記日付情報記憶手段に記憶された日付情報を前記電池を交換すべき日付に関する情報に変換して、前記電池が交換された日付に関する情報および電池を交換すべき日付に関する情報として前記測量機に送信するように、前記送信手段を構成した。
【００１５】
（作用）測量機には、電池が交換された日付および電池を交換すべき日付が表示されるため、作業者は、電池の寿命はいつ頃になるかを推定するまでもなく、測量機に表示された、電池を交換すべき日付を確認するだけでよい。
【００１６】
請求項３に係る測量機用リモートコントローラにおいては、請求項１または２において、前記日付情報発生手段は、一回の操作に応答してカレンダーの日付に対応したカレンダークロックを日付情報として発生するカレンダークロック発生器で構成した。
【００１７】
（作用）一回の操作で日付情報を発生することができるので、電池を交換した日付の入力操作を簡単に行なうことができ、操作性の向上を図ることができる。
【００１８】
請求項４に係る測量機用リモートコントローラにおいては、請求項１、２または３において、前記日付情報は、年月日の情報を含んで構成した。
【００１９】
（作用）日付情報には、年月日が含まれているので、電池を交換した日付および／または交換すべき日付を明確にすることができる。
【００２０】
【発明の実施の形態】
以下、本発明の実施の形態を図面に基づいて詳細に説明する。
【００２１】
図１は、本発明の一実施例を示す測量機用リモートコントローラのブロック構成図である。図１において、測量機用リモートコントローラは、キーボード１０、マイクロコンピュータ１２、発光ダイオードドライバ１４、発光ダイオード１６、メモリ１８、電池２０、カレンダークロック２２、バックアップ電池２４を備え、電池２０を電源として、測量機（図示省略）と情報の指示（送信）を行いながら、測量機を遠隔操作できるように構成されている。
【００２２】
キーボード１０は、テンキーなどを備え、作業者の操作に応答して、各種の操作指令に関する情報を発生する操作指令発生手段として構成されているとともに、作業者が電池２０を交換したときに、作業者の入力操作に応答して、日付に関する日付情報、例えば、年月日を数字と点「１４．７．３１」または「２００２．７．３１」を用いて表わした日付情報を発生する日付情報発生手段として構成されており、操作指令に関する情報や年月日に関する日付情報はマイクロコンピュータ１２に入力されるようになっている。
【００２３】
マイクロコンピュータ１２は、キーボード１０からの情報をディジタルデータに変換するための処理を行ない、日付情報をディジタルデータとしてメモリ１８に記憶させるとともに、メモリ１８に記憶されたディジタルデータを、電池２０が交換された日付に関する情報として変調されたアナログ信号に変換したり、操作指令に関する情報を処理して得られたディジタルデータを、操作指令に関する情報として変調されたアナログ信号に変換し、各アナログ信号を発光ダイオードドライバ１４を介して発光ダイオード１６に出力する。発光ダイオード１６は、アナログ信号に従って、赤外線を伝送媒体として、操作指令に関する情報や日付情報を無線で測量機に送信するようになっている。すなわち、マイクロコンピュータ１２、発光ダイオードドライバ１４、発光ダイオード１６は、操作指令に関する情報や日付情報を無線で測量機（図示省略）に送信する送信手段として構成されている。
【００２４】
測量機は、リモートコントローラからの情報を受信し、受信した情報が操作指令に関する情報のときには、操作指令に従って測量を行ない、受信した情報が日付情報のときには、日付情報をデータ表示部である画面上に表示する表示手段としての機能と、日付情報を音声で出力する音声出力手段としての機能を備えて構成されている。このため、リモートコントローラから測量機に日付情報が送信されたときには、その日付情報（例えば、電池２０が交換された日付（年月日））を測量機の画面上の表示および音声出力によって作業者に知らせることができる。
【００２５】
具体的には、測量機は、表示手段としてのＣＲＴの他に、図２に示すように、受信手段としての発光ダイオード２６を備えているとともに、音声合成出力手段として、コード解読器２８、音声合成器３０、マイクロコンピュータ（マイコン）３２、スピーカ３４を備えて構成されている。
【００２６】
リモートコントローラからの日付情報を音声で出力するに際しては、図３に示すように、まず、発光ダイオード２６でリモートコントローラからの情報を受信し、受信した情報をコード解読器２８で解読し（ステップＳ１）、受信した情報の中から日付に関する情報（年月日）を抽出する（ステップＳ２）。この後、解読器２８は、抽出した日付に関する情報を音声合成器３０に出力するとともに、解読結果をマイコン３２に出力する。解読結果を受けたマイコン３２は、「電池２０を交換した日付は……です。」の音声情報を音声合成器３０に出力する（ステップＳ３）。次に、音声合成器３０は、解読器２８からの日付情報（０年０月０日）とマイコン３２からの音声情報とを合成し、合成した情報をスピーカ駆動用の電気信号に変換してスピーカ３４に出力する（ステップＳ４）。これにより、スピーカ３４からは、「電池２０を交換した日付は０年０月０日です。」という情報が音声で出力される。
【００２７】
したがって本実施例においては、作業者は、必要に応じていつでも、キーボード１０を操作することで、メモリ１８に記憶されている日付情報（電池２０が交換された日付）を測量機に送信し、測量機の画面上に電池２０が交換された日付（年月日）と交換する日付（年月日）を表示させたり、スピーカ３４から音声で出力させたりすることができるので、測量機の画面上に表示された日付や音声出力による日付を確認することで、電池２０の寿命はいつ頃になるかを確認できる。そして電池切れの恐れのあるときには新たな電池を携行することで、電池を最後まで無駄なく使用することができるとともに、新たな電池に交換することで、測量機の電池が手に入らない地域でも安心して操作を継続することができる。
【００２８】
また、リモートコントローラにおける電池を交換した際の日付の入力操作は、次のようにして行う。
【００２９】
作業者が、リモートコントローラの電池２０を交換したときには、キーボード１０を用いて、電池２０を交換した日付を入力するための操作を行なうと、電池２０を交換した日付に関する日付情報がマイクロコンピュータ１２に取り込まれ、マイクロコンピュータ１２において、日付情報がディジタルデータに変換された後、メモリ１８に記憶される。さらに、メモリ１８に記憶されたディジタルデータは、電池２０が交換された日付に関する情報として、カレンダークロック２２を経由して変調されたアナログ信号に変換され、このアナログ信号は発光ダイオードドライバ１４を介して発光ダイオード１６に出力される。発光ダイオード１６は、アナログ信号に従って、赤外線を伝送媒体として、操作指令に関する情報や日付情報を無線で測量機に送信する。そして、測量機が日付情報を受信すると、測量機の画面上には、電池が交換された日付が表示され、また音声によって聞くことができる。このため、作業者は、この音声と表示で入力が適正か否かを確認でき、入力が誤っている場合は、、キーボード１０を用いて入力し直すことができる。
【００３０】
なお、前記実施例においては、メモリ１８に記憶されている日付情報（電池が交換された日付）をそのまま測量機に送信して、測量機の画面上には、電池が交換された日付がそのまま表示されるように構成されているが、以下のような変形例とすることもできる。
【００３１】
即ち、第１の変形例として、キーボード１０から日付に関する情報がマイクロコンピュータ１２に入力されたときに、マイクロコンピュータ１２において、入力された日付情報から電池２０を次に交換すべき日付を推定演算し、これら２種類の日付情報（電池が交換された日付情報と電池を次に交換すべき日付に関する情報）をそれぞれアナログ信号に変換し、これらのアナログ信号を発光ダイオードドライバ１４、発光ダイオード１６を介して測量機に送信する構成を採用することもできる。
【００３２】
また、第２の変形例として、メモリ１８に記憶されている日付情報（電池が交換された日付）が測量機に送信されたときに、測量機本体側（のマイコン３２）において、送信された日付情報から電池２０を次に交換すべき日付を推定演算し、これら２種類の日付情報（電池が交換された日付情報と電池を次に交換すべき日付に関する情報）をそれぞれ画面上に表示したり、音声で出力したりすることもできる。
【００３３】
そして、第１，第２の変形例のように構成した場合は、測量機の画面上には、電池２０を交換した日付に加えて、次に電池２０を交換すべき日付も併せて表示されるため、作業者は、測量機の画面上に表示された日付を確認するだけで、電池２０を交換すべき日付がわかる。そして電池切れの恐れのあるときには新たな電池を携行することで、電池を最後まで無駄なく使用することができるとともに、新たな電池に交換することで、測量機の遠隔操作を継続することができる。
【００３４】
【発明の効果】
以上の説明から明らかなように、請求項１に係る発明によれば、必要に応じて、電池交換された日付を測量機に表示および／または音声で出力させて、前回の電池交換日付を確認することで、電池の寿命はいつ頃になるかを推定でき、電池切れの恐れのあるときには新たな電池を携行すれば、電池を最後まで無駄なく使用することができるとともに、新たな電池に交換することで、測量機の電池が手に入らない場所で操作を継続することができる。
【００３５】
請求項２に係る発明によれば、測量機に表示および／または音声で出力された日付によって、電池の寿命はいつ頃になるかを推定するまでもなく、電池を交換すべき日付を確認できるので、より便利となる。
【００３６】
請求項３に係る発明によれば、電池を交換した日付の入力操作を一回行なうだけでよく、操作性の向上を図ることができる。
【００３７】
請求項４に係る発明によれば、日付情報には、年月日が含まれているので、電池を交換した日付を明確にすることができる。
【図面の簡単な説明】
【図１】本発明の一実施例を示す測量機用リモートコントローラのブロック図である。
【図２】測量機の音声合成部のブロック構成図である。
【図３】音声合成処理を説明するためのフローチャートである。
【符号の説明】
１０　キーボード
１２　マイクロコンピュータ
１４　発光ダイオードドライバ
１６　発光ダイオード
１８　メモリ
２０　電池
２２　カレンダークロック
２４　バックアップ電池
２６　発光ダイオード
２８　コード解読器
３０　音声合成器
３２　マイクロコンピュータ
３４　スピーカ
【図１】
2004132916.tif 000003
【図２】
2004132916.tif 000004
【図３】
2004132916.tif 000005